(57)【要約】【課題】この発明は安価な構成で、一対の部材を確実に連結することができる連結装置を提供することにある。【解決手段】座部体３に取付けられる第１の連結具２２と、肘掛け体５に取付けられる第２の連結具２３とを具備し、  上記第１の連結具と第２の連結具とは、帯状部材２２ａ，２３ａと、この帯状部材の一端部の一側面に形成された挿入部２２ｂ，２３ｂと、上記帯状部材の他端部に一側面側に向かって屈曲形成された屈曲部２２ｃ，２３ｃとによって同じ形状に形成されていて、  上記第１の連結具と第２の連結具とを、上記第１の部材と第２の部材とにそれぞれ上下逆向きに取付け、互いの連結具の挿入部に互いの屈曲部を挿入して上記第１の部材と第２の部材とを連結する。【選択図】      図４
2005061496.tif 000002
【特許請求の範囲】
【請求項１】
第１の部材と第２の部材とを連結する連結装置において、
上記第１の部材に取付けられる第１の連結具と、上記第２の部材に取付けられる第２の連結具とを具備し、
上記第１の連結具と第２の連結具とは、帯状部材と、この帯状部材の一端部の一側面に形成された挿入部と、上記帯状部材の他端部に一側面側に向かって屈曲形成された屈曲部とによって同じ形状に形成されていて、
上記第１の連結具と第２の連結具とを、上記第１の部材と第２の部材とにそれぞれ上下逆向きに取付け、互いの連結具の挿入部に互いの屈曲部を挿入して上記第１の部材と第２の部材とを連結することを特徴とする連結装置。
【請求項２】
上記挿入部と上記屈曲部とは、挿入部に屈曲部を挿入することでこれらが互いに圧接するテーパ状に形成されていることを特徴とする請求項１記載の連結装置。
【請求項３】
互いの側面を対向させて連結される第１の部材と第２の部材とを有する家具において、
上記第１の部材と第２の部材との対向する側面にはそれぞれ第１の連結具と第の連結具とが設けられ、これら第１の連結具と第２の連結具は請求項１に記載された構成であることを特徴とする家具。
【発明の詳細な説明】
【技術分野】
【０００１】
この発明は一対の部材を着脱可能に連結する連結装置及びその連結装置が用いられた家具に関する。
【背景技術】
【０００２】
たとえば、ベッドやソファーなどの家具においては、その家具を構成する複数の部材を分解自在に連結することで、上記家具の組立てや分解を容易に行なえるようにしている。上記部材を連結するには連結金具（装置）が用いられている。連結金具には種々の構成のものがあり、その１つに特許文献１に記載された構成の連結金具が知られている。
【０００３】
上記特許文献１に示された連結金具は、第１の連結具と第２の連結具を有する。これら連結具は帯板状の本体部の幅方向の一端部に所定間隔で複数の爪部と溝部を交互に形成してなる。そして、第１の連結具と第２の連結具は、連結する第１の部材と第２の部材との端部の側面に取付け固定し、互いの爪部を互いの溝部に係合させる。そして、一対の連結具の爪部によって形成される空間部にピンを挿入することで、上記第１の部材と第２の部材とを連結するようにしている。
【特許文献１】特開平９−１４０４８９号公報
【発明の開示】
【発明が解決しようとする課題】
【０００４】
上記構成の連結金具によると、第１の連結具と第２の連結具とは、第１の部材と第２の部材とに同じ高さで取付けたときに、互いの爪部と溝部を係合させることができるよう、爪部と溝部の位置が上下方向にずれて形成されている。つまり、連結金具は、形状の異なる第１の連結具と第２の連結具とによって形成されている。
【０００５】
そのため、第１の連結具と第２の連結具とを別々に作らなければならないから、製造に手間がかかり、コストアップを招くということがあった。しかも、第１の連結具と第２の連結具とは、それぞれ第１の部材と第２の部材との端部に取付け、これらの部材をほぼ直角に連結するためのものである。
【０００６】
ところで、家具としてのソファーにおいては、座部の幅方向両側面に肘掛け体を連結する場合があり、同じく家具としてのベッドにおいては、ボトムベッドの端面にヘッドボードを連結する場合などがある。これらの場合、２つの部材を対向させ、対向する側面を連結しなければならず、しかも家具としての外観を維持するためには、２つの部材を連結した連結金具が外部に露出しないことが望ましい。
【０００７】
しかしながら、特許文献１に示された連結金具では、２つの部材をほぼ直角に連結することはできても、これら部材の側面を対向させ、対向する側面を連結するということができないばかりか、連結金具が外部に露出するため、外観の低下を招くということもある。
【０００８】
この発明は、第１の部材と第２の部材とを連結する一対の連結具を同じ形状とすることができるとともに、第１の部材と第２の部材との対向する側面を連結することができるようにした連結装置及びその連結装置が用いられた家具を提供することにある。
【課題を解決するための手段】
【０００９】
この発明は、第１の部材と第２の部材とを連結する連結装置において、
上記第１の部材に取付けられる第１の連結具と、上記第２の部材に取付けられる第２の連結具とを具備し、
上記第１の連結具と第２の連結具とは、帯状部材と、この帯状部材の一端部の一側面に形成された挿入部と、上記帯状部材の他端部に一側面側に向かって屈曲形成された屈曲部とによって同じ形状に形成されていて、
上記第１の連結具と第２の連結具とを、上記第１の部材と第２の部材とにそれぞれ上下逆向きに取付け、互いの連結具の挿入部に互いの屈曲部を挿入して上記第１の部材と第２の部材とを連結することを特徴とする連結装置にある。
【００１０】
上記挿入部と上記屈曲部とは、挿入部に屈曲部を挿入することでこれらが互いに圧接するテーパ状に形成されていることが好ましい。
【００１１】
互いの側面を対向させて連結される第１の部材と第２の部材とを有する家具において、
上記第１の部材と第２の部材との対向する側面にはそれぞれ第１の連結具と第の連結具とが設けられ、これら第１の連結具と第２の連結具は、帯状部材と、この帯状部材の一端部の一側面に形成された挿入部と、上記帯状部材の他端部に一側面側に向かって屈曲された屈曲部とによって同じ形状に形成されていて、
上記第１の連結具と第２の連結具とを、上記第１の部材と第２の部材とにそれぞれ上下逆向きに取付け、互いの連結具の挿入部に互いの屈曲部を挿入して上記第１の部材と第２の部材とを連結する構成であることを特徴とする家具にある。
【発明の効果】
【００１２】
この発明によれば、第１の連結具と第２の連結具とを、帯状部材の一端部の一側面に挿入部、他端部に屈曲部を有する同じ形状とすることができるから、形状の異なる２つの連結具を用いる場合に比べて製造コストを低減することができるばかりか、互いの挿入部に互いの屈曲部を挿入する構成であるから、これら連結具が取付けられた第１の部材と第２の部材とを対向させて連結することができる。
【発明を実施するための最良の形態】
【００１３】
以下、この発明の一実施の形態を図面を参照して説明する。
【００１４】
図１は家具としてのソファー１を示し、図３は同じく家具としてのダブルクッションタイプのベッド２を示す。上記ソファー１は座部体３を有する。この座部体３の後端には背部体４が設けられ、幅方向両側にはそれぞれ肘掛け体５が後述するこの発明の連結装置２１によって着脱可能に連結されてなる。
【００１５】
上記ベッド２はボトムマットレス６を有する。このボトムマットレス６は下面四隅部に設けられた脚体７によって支持されたベース板８上にスプリングユニット９が設けられ、このスプリングユニット９が外装体１１によって覆われている。
【００１６】
上記ボトムマットレス６の上面には上部マットレス１２が載置されている。さらに、ボトムマットレス１２の長手方向一端にはＬ字状に屈曲された第１の取付け板１３が一辺を上記ベース板８に固定して設けられ、この第１の取付け板１３の他辺にはヘッドボード１４がこの発明の連結装置２１によって着脱可能に連結されている。なお、ヘッドボード１４には、ボトムマットレス１２の長手方向一端面に対向する内面に第２の取付け板１５が設けられている。
【００１７】
上記連結装置２１は、図４に示すように第１の連結具２２と第２の連結具２３とから構成されている。各連結具２２，２３は金属製の帯状部材２２ａ，２３ａを有する。帯状部材２２ａ，２３ａの長手方向両端部には一対の座繰り孔２４が形成されている。
【００１８】
さらに、帯状部材２２ａ，２３ａの長手方向一端部で、座繰り孔２４よりも先端側の部分は先端にゆくにつれて狭幅となるテーパ状に形成されていて、この一端部には金属板をコ字状に折曲した折り曲げ片２５がその両側辺の端部を上記帯状部材２２ａ，２３ａの一端部の両側面に固定して設けられている。それによって、帯状部材２２ａ，２３ａの一端部の一側面には、帯状部材２２ａ，２３ａの幅方向及び長手方向の両方向において、先端にゆくにつれて狭幅となるテーパ状の空間部からなる挿入部２２ｂ、２３ｂが形成されている。
【００１９】
図５（ｂ）に示すように、上記帯状部材２２ａ，２３ａの他端部は、この帯状部材２２ａ，２３ａの一側面側に向かって角度θで屈曲した屈曲部２２ｃ、２３ｃに形成されている。この屈曲部２２ｃ、２３ｃは、上記挿入部２２ｂ、２３ｂに対応して先端にゆくにつれて狭幅となるテーパ状に形成されているとともに、帯状部材２２ａ，２３ａの一側面側に向かってわずかに傾斜している。
【００２０】
上記構成の連結装置２１はソファー１に対しては、図１と図２に示すように用いられる。すなわち、座部体３の両側面の長手方向両端部には第１の連結具２２が挿入部２２ｂを下にし、一対の座繰り孔２４から座部体３の側面に埋め込まれたナット２５にねじ２６によって取付け固定される。
【００２１】
第２の連結具２３は、肘掛け体５の内面の上記座部体３の側面に取付けられた一対の第１の連結具２２と対応する位置に、挿入部２３ｂを上にしてそれぞれ座繰り孔２４に通されたねじ２６を肘掛け体５に埋め込まれたナット２５に螺合して取付け固定される。  
そして、第１の連結具２２と第２の連結具２３とを、互いの挿入部２２ｂ、２３ｂに互いの屈曲部２２ｃ、２３ｃを挿入することで、座部体３に肘掛け体５が取付けられている。
【００２２】
ベッド２の場合には、図３に示すように第１の連結具２２が挿入部２２ｂを下にしてボトムマットレス６の長手方向の一端面に設けられた第１の取付け板１３にねじ止め固定されて設けられ、第２の連結具２３はヘッドボード１４の上記ボトムマットレス６の一端面と対向する内面に設けられた第２の取付け板１５に、挿入部２３ｂを上にして取付け固定されている。
【００２３】
そして、第１の連結具２２と第２の連結具２３とを、互いの挿入部２２ｂ、２３ｂに互いの屈曲部２２ｃ、２３ｃを挿入することで、ボトムマットレス６にヘッドボード１４が取付けられている。
【００２４】
このように構成された連結装置２１によれば、第１の連結具２２と第２の連結具２３とは同じ形状であって、家具としてのソファー１やベッド２などを構成する一対の部材の一方と他方に対して上下方向を逆にして取付けることで、これら一対の部材を連結固定することができる。
【００２５】
そのため、第１の連結具２２と第２の連結具２３とが異なる形状の場合に比べ、連結装置２１の製造を容易に、しかも能率よく行うことができるから、安価な連結装置２１を提供することが可能となる。
【００２６】
各連結具２２，２３の挿入部２２ｂ，２３ｂは幅方向と長手方向の両方向に対してテーパ状に形成され、屈曲部２２ｃ、２３ｃは幅方向に対してテーパ状に形成されているとともに長手方向に対して傾斜している。そのため、一対の部材を連結するために、互いの挿入部２２ｂ、２３ｂに屈曲部２２ｃ、２３ｃを挿入すると、挿入部２２ｂ、２３ｂに対して屈曲部２２ｃ、２３ｃが幅方向両側と、幅方向と交差する方向の側面が上記挿入部２２ｂ、２３ｂの内面に圧接して一対の連結具２２，２３が連結される。したがって、ソファー１やベッド２を構成する一対の部材をガタ付くことなく確実に連結固定することが可能となる。
【００２７】
各連結具２２，２３は帯状部材２２ａ，２３ａの一端部に挿入部２２ｂ，２３ｂ、他端部に屈曲部２２ｃ、２３ｃを形成しているため、挿入部２２ｂ，２３ｂと屈曲部２２ｃ，２３ｃとの間隔を十分に長することが可能となる。挿入部２２ｂ，２３ｂと屈曲部２２ｃ，２３ｃとの間隔を長くすれば、連結された一対の部材に対して加わる回転力に対して大きな剛性を備えることができるから、そのことによって一対乎部材の連結強度を高めることができる。
【００２８】
第１の連結具２２と第２の連結具２３とは、連結される一対の部材の対向する側面に取付けられる。そのため、一対の部材を連結すると、これら部材を連結した連結具２２，２３が外部に露出することがないから、外観的に体裁がよい。とくに、ソファー１やベッド２などの家具においては、外観の良し悪しが商品価値を大きく左右するため、この発明の連結装置２１を用いることで、商品価値を向上させることができる。
【００２９】
この発明は上記一実施の形態に限定されず、たとえばこの発明の連結装置の用途はソファーとベッドに限られず、一対の部材を互いの側面を対向させて連結することが要求されるものであれば、それ以外の家具や家具以外のものであっても適用することができる。
【図面の簡単な説明】
【００３０】
【図１】この発明の一実施の形態を示すソファーの一部破断した斜視図。
【図２】ソファーの座部体と肘掛け体との分解断面図。
【図３】ベッドの断面図。
【図４】連結装置の一対の連結具の斜視図。
【図５】（ａ）は一方の連結具の平面図、（ｂ）は側面図。
【図６】（ａ）は一対の連結具を連結した側面図。（ｂ）は断面図。
【符号の説明】
【００３１】
１…ソファー（家具）、２…ベッド（家具）、３…座部体（部材）、５…肘掛け体（部材）、６…ボトムマットレス（部材）、１４…ヘッドボード（部材）、２２…第１の連結具、２３…第２の連結具、２２ａ，２３ａ…帯状部材、２２ｂ、２３ｂ…挿入部、２２ｃ、２３ｃ…屈曲部。
【図１】
2005061496.tif 000003
【図２】
2005061496.tif 000004
【図３】
2005061496.tif 000005
【図４】
2005061496.tif 000006
【図５】
2005061496.tif 000007
【図６】
2005061496.tif 000008